【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ワイヤレス媒体の単一のチャネルを通した同時送信を調整する方法であって、前記方法は、
第１の基本サービスセット（ＢＳＳ）に関連付けられた第１のアクセスポイントが、第２のＢＳＳに関連付けられた第２のアクセスポイントと同時にカウントダウンプロシージャを実行することと、ここにおいて、前記第１のアクセスポイントおよび前記第２のアクセスポイントは、それぞれ前記第１のアクセスポイントおよび前記第２のアクセスポイントからの分散型多入力および多出力（ＭＩＭＯ）通信の同時送信を開始することが可能であり、前記分散型ＭＩＭＯ通信は、前記第２のＢＳＳ中に含まれる１つまたは複数のワイヤレス局と前記第２のアクセスポイントとの間での第２の通信を容易にするように構成された第１の通信を前記第１のアクセスポイントが前記第２のアクセスポイントに送信することを備える、
前記第２のアクセスポイントの前に前記カウントダウンプロシージャを完了したことに応答して、前記同時送信が第１のフレームの受信の所定の時間後に生じることになることを示す前記第１のフレームを、前記第１のアクセスポイントから前記第２のアクセスポイントに送信することと、
前記単一のチャネルがアイドル状態であると前記第１のアクセスポイントが決定することと、
前記所定の時間後に、前記分散型ＭＩＭＯ通信のためのデータを、前記第１のアクセスポイントから前記第２のアクセスポイントと同時に、前記単一のチャネルを通して送信することと
を備える、方法。
【請求項２】
前記第１のフレームを前記第１のアクセスポイントが生成すること
をさらに備える、請求項１に記載の方法。
【請求項３】
前記所定の時間が、
前記第１のアクセスポイントと前記第２のアクセスポイントとによって設定される、または、
ショートインターフレームスペース（ＳＩＦＳ）
のうちの少なくとも１つである、請求項２に記載の方法。
【請求項４】
前記第１のフレームを前記第１のアクセスポイントが生成することと
をさらに備える、請求項１に記載の方法。
【請求項５】
前記第１のフレームに応答するワイヤレスデバイスのセットと、
アクセスカテゴリと、
チャネル帯域幅と、
ダウンリンク物理レイヤコンバージェンスプロシージャ（ＰＬＣＰ）プロトコルデータユニット（ＰＰＤＵ）の持続時間と
のうちの少なくとも１つを示す情報を含むように前記第１のアクセスポイントが前記第１のフレームを生成することをさらに備える、請求項１に記載の方法。
【請求項６】
前記第１のアクセスポイントが前記第１のフレームを送信するであろうと、前記第１のアクセスポイントと前記第２のアクセスポイントとの間での１つまたは複数の通信に基づいて確立すること
をさらに備える、請求項１に記載の方法。
【請求項７】
前記第１のアクセスポイントと前記第２のアクセスポイントとが前記単一のチャネルを通して同時に送信するであろう時間を前記第１のアクセスポイントが決定すること
をさらに備える、請求項１に記載の方法。
【請求項８】
前記第１のアクセスポイントと前記第２のアクセスポイントとを、基本サービスセット（ＢＳＳ）識別子と局アドレスとのうちの少なくとも１つである対応する識別子を介して識別するように、前記第１のフレームを生成すること
をさらに備える、請求項７に記載の方法。
【請求項９】
ワイヤレス媒体の単一のチャネルを通した同時送信を調整するための装置であって、前記装置は、第１の基本サービスセット（ＢＳＳ）に関連付けられ、
前記装置は、１つまたは複数のプロセッサと、
前記１つまたは複数のプロセッサによって実行されたときに、前記装置に、
第２のＢＳＳに関連付けられたアクセスポイントと同時にカウントダウンプロシージャを実行することと、ここにおいて、前記装置および前記アクセスポイントは、それぞれ前記装置および前記第２のアクセスポイントからの分散型多入力および多出力（ＭＩＭＯ）通信の同時送信を開始することが可能であり、前記分散型ＭＩＭＯ通信は、前記第２のＢＳＳ中に含まれる１つまたは複数のワイヤレス局と前記アクセスポイントとの間での第２の通信を容易にするように構成された第１の通信を前記装置が前記アクセスポイントに送信することを備える、
前記アクセスポイントの前に前記カウントダウンプロシージャを完了したことに応答して、前記同時送信が第１のフレームの受信の所定の時間後に生じることになることを示す前記第１のフレームを、前記アクセスポイントに送信することと、
前記単一のチャネルがアイドル状態であると決定することと、
前記所定の時間後に、前記分散型ＭＩＭＯ通信のためのデータを、前記アクセスポイントと同時に、前記単一のチャネルを通して送信することと
を行わせる命令を備えるメモリと
を備える、装置。
【請求項１０】
前記命令の実行はさらに、前記装置に、
前記第１のフレームを生成すること
を行わせる、請求項９に記載の装置。
【請求項１１】
前記所定の時間が、
前記装置と前記アクセスポイントとによって設定される、または
ショートインターフレームスペース（ＳＩＦＳ）
のうちの少なくとも１つである、請求項１０に記載の装置。
【請求項１２】
前記命令の実行はさらに、前記装置に、
前記第１のフレームを生成すること
を行わせる、請求項９に記載の装置。
【請求項１３】
前記命令の実行はさらに、前記装置に、
前記第１のフレームに応答するワイヤレスデバイスのセットと、
アクセスカテゴリと、
チャネル帯域幅と、
ダウンリンク物理レイヤコンバージェンスプロシージャ（ＰＬＣＰ）プロトコルデータユニット（ＰＰＤＵ）の持続時間と
のうちの少なくとも１つを示す情報を含むように前記第１のフレームを生成することを行わせる、請求項９に記載の装置。
【請求項１４】
前記命令の実行はさらに、前記装置に、
前記装置が前記第１のフレームを送信するであろうと、前記装置と前記アクセスポイントとの間での１つまたは複数の通信に基づいて確立すること
を行わせる、請求項９に記載の装置。
【請求項１５】
前記命令の実行はさらに、前記装置に、
前記装置と前記アクセスポイントとが前記単一のチャネルを通して同時に送信するであろう時間を決定すること
を行わせる、請求項９に記載の装置。
【請求項１６】
前記命令の実行はさらに、前記装置に、前記装置と前記アクセスポイントとを、基本サービスセット（ＢＳＳ）識別子と局アドレスとのうちの少なくとも１つである対応する識別子を介して識別するように、前記第１のメッセージを生成することを行わせる、請求項９に記載の装置。
【手続補正２】
【補正対象書類名】明細書
【補正対象項目名】００８３
【補正方法】変更
【補正の内容】
【００８３】
[0090]特許請求の範囲は、上記に例示されたまさにその構成およびコンポーネントに限定されないことが理解されるべきである。様々な修正、変更および変形が、特許請求の範囲から逸脱することなしに、ここに説明されたシステム、方法、および装置の配置、動作および詳細においてなされ得る。
以下に本願の出願当初の特許請求の範囲に記載された発明を付記する。
［Ｃ１］
ワイヤレス媒体の単一のチャネルを通した同時送信を調整する方法であって、前記方法は、
第１のワイヤレスデバイスと第２のワイヤレスデバイスとが分散型多入力および多出力（ＭＩＭＯ）通信のためのデータを前記単一のチャネルを通して同時に送信するであろう時間を前記第１のワイヤレスデバイスが決定することと、
前記分散型ＭＩＭＯ通信のための第１のデータ部分を前記決定された時間において前記第１のワイヤレスデバイスから前記チャネルを通して送信することと
を備える、方法。
［Ｃ２］
前記第１のワイヤレスデバイスは、第１の基本サービスセット（ＢＳＳ）を有する第１のアクセスポイントであり、および前記第２のワイヤレスデバイスは、第２のＢＳＳを有する第２のアクセスポイントであり、および前記分散型ＭＩＭＯ通信は、前記第２のＢＳＳ中に含まれる１つまたは複数のワイヤレス局と前記第２のアクセスポイントとの間での通信を容易にするための通信を前記第１のアクセスポイントが前記第２のアクセスポイントに送信することを備える、Ｃ１に記載の方法。
［Ｃ３］
第１のフレームを前記第１のワイヤレスデバイスが生成することと、
前記第１のワイヤレスデバイスと前記第２のワイヤレスデバイスとが前記決定された時間において送信することになることを示すための前記第１のフレームを、前記第１のワイヤレスデバイスから前記第２のワイヤレスデバイスに送信することと
をさらに備える、Ｃ１に記載の方法。
［Ｃ４］
前記第１のフレームは、前記決定された時間が、
前記第１のワイヤレスデバイスと前記第２のワイヤレスデバイスとによって設定される所定の時間値と、
前記第１のフレーム中に含まれる示された時間値と、
前記第１のフレームの受信後のショートインターフレームスペース（ＳＩＦＳ）と
のうちの１つにおいて生じることを示す、Ｃ３に記載の方法。
［Ｃ５］
バックオフプロシージャは、前記単一のチャネルを通して実行され、および前記第１のワイヤレスデバイスは、前記バックオフプロシージャの完了に応答して前記第１のフレームを送信する、Ｃ３に記載の方法。
［Ｃ６］
第１のフレームを前記第１のワイヤレスデバイスが生成することと、
前記単一のチャネルがアイドル状態であると前記第１のワイヤレスデバイスが決定することと、
前記単一のチャネルがアイドル状態であると決定することに応答して、前記第１のフレームを前記第１のワイヤレスデバイスから送信することと
をさらに備える、Ｃ１に記載の方法。
［Ｃ７］
第１のフレームを前記第２のワイヤレスデバイスから前記第１のワイヤレスデバイスが受信することをさらに備える、Ｃ１に記載の方法。
［Ｃ８］
前記第１のフレームは、前記決定された時間が、
前記第１のワイヤレスデバイスと前記第２のワイヤレスデバイスとによって設定される所定の時間値と、
前記第１のフレーム中に含まれる示された時間値と、
前記第１のフレームの受信後のショートインターフレームスペース（ＳＩＦＳ）と
のうちの１つにおいて生じるというインジケーションを含み、前記第１のワイヤレスデバイスは、前記インジケーションに基づいて前記時間を決定する、Ｃ７に記載の方法。
［Ｃ９］
前記受信された第１のフレームが前記第１のワイヤレスデバイスを識別するかどうかを決定するために、前記受信された第１のフレームを前記第１のワイヤレスデバイスが復号すること
をさらに備え、前記第１のワイヤレスデバイスは、前記受信された第１のフレームが前記第１のワイヤレスデバイスを識別すると決定することに応答して、前記決定された時間において送信する、Ｃ７に記載の方法。
［Ｃ１０］
第１のフレームに応答するワイヤレスデバイスのセットと、
前記同時送信のためのアクセスカテゴリと、
前記同時送信のためのチャネル帯域幅と、
前記同時送信のためのダウンリンク物理レイヤコンバージェンスプロシージャ（ＰＬＣＰ）プロトコルデータユニット（ＰＰＤＵ）の持続時間と
のうちの１つまたは複数を示す情報を含むように前記第１のワイヤレスデバイスが前記第１のフレームを生成することをさらに備える、Ｃ１に記載の方法。
［Ｃ１１］
前記第１のワイヤレスデバイスが第１のフレームを送信するであろうと、前記第１のワイヤレスデバイスと前記第２のワイヤレスデバイスとの間での１つまたは複数の通信に基づいて決定することと、
前記第１のワイヤレスデバイスが前記第１のフレームを送信するであろうと決定することに応答して、前記第１のフレームを前記第１のワイヤレスデバイスが生成することと、  前記第１のフレームを前記第１のワイヤレスデバイスから送信することと
をさらに備える、Ｃ１に記載の方法。
［Ｃ１２］
ワイヤレス媒体の単一のチャネルを通した同時送信を調整する方法であって、前記方法は、
第１のアクセスポイントと第２のアクセスポイントとが前記チャネルを通して同時に送信するであろう時間を前記第１のアクセスポイントが決定することと、
第１のメッセージを前記第１のアクセスポイントが送信することと
を備える、方法。
［Ｃ１３］
前記時間を決定することは、
所定の時間値に前記時間を前記第１のアクセスポイントが設定することと、
前記第１のメッセージを送信した後のショートインターフレームスペース（ＳＩＦＳ）に前記時間を前記第１のアクセスポイントが設定することと
のうちの１つを備える、Ｃ１２に記載の方法。
［Ｃ１４］
前記第１のメッセージに応答するアクセスポイントのセットと、
前記同時送信のためのアクセスカテゴリと、
前記同時送信のためのチャネル帯域幅と、
前記同時送信のためのダウンリンク物理レイヤコンバージェンスプロシージャ（ＰＬＣＰ）プロトコルデータユニット（ＰＰＤＵ）の持続時間と
のうちの１つまたは複数を示す情報を含むように前記第１のアクセスポイントが前記第１のメッセージを生成することをさらに備える、Ｃ１２に記載の方法。
［Ｃ１５］
前記第１のアクセスポイントと前記第２のアクセスポイントとを対応する識別子を介して識別するように、前記第１のアクセスポイントが前記第１のメッセージを生成することをさらに備え、前記対応する識別子は、基本サービスセット（ＢＳＳ）識別子と局アドレスとのうちの１つである、Ｃ１２に記載の方法。
［Ｃ１６］
ワイヤレス媒体の単一のチャネルを通した同時送信を調整するための装置であって、前記装置は、前記装置に、
前記装置と第２のワイヤレスデバイスとが分散型多入力および多出力（ＭＩＭＯ）通信のためのデータを前記単一のチャネルを通して同時に送信するであろう時間を決定することと、
前記分散型ＭＩＭＯ通信のための第１のデータ部分を前記決定された時間において前記チャネルを通して送信することと
を行わせるように構成された電子ハードウェアプロセッサを備える、装置。
［Ｃ１７］
前記装置は、第１の基本サービスセット（ＢＳＳ）を有する第１のアクセスポイントであり、および前記第２のワイヤレスデバイスは、第２のＢＳＳを有する第２のアクセスポイントであり、および前記分散型ＭＩＭＯ通信は、前記第２のＢＳＳ中に含まれる１つまたは複数のワイヤレス局と前記第２のアクセスポイントとの間での通信を容易にするための通信を前記第１のアクセスポイントが前記第２のアクセスポイントに送信することを備える、Ｃ１６に記載の装置。
［Ｃ１８］
前記電子ハードウェアプロセッサは、前記装置に、
第１のフレームを生成することと、
前記装置と前記第２のワイヤレスデバイスとが前記決定された時間において送信することになることを示すための前記第１のフレームを、前記装置から前記第２のワイヤレスデバイスに送信することと
を行わせるようにさらに構成される、Ｃ１６に記載の装置。
［Ｃ１９］
前記第１のフレームは、前記決定された時間が、
前記装置と前記第２のワイヤレスデバイスとによって設定される所定の時間値と、
前記第１のフレーム中に含まれる示された時間値と、
前記第１のフレームの受信後のショートインターフレームスペース（ＳＩＦＳ）と
のうちの１つにおいて生じることを示す、Ｃ１８に記載の装置。
［Ｃ２０］
バックオフプロシージャは、前記単一のチャネルを通して実行され、および前記装置は、前記バックオフプロシージャの完了に応答して前記第１のフレームを送信する、Ｃ１８に記載の装置。
［Ｃ２１］
前記電子ハードウェアプロセッサは、前記装置に、
第１のフレームを生成することと、
前記単一のチャネルがアイドル状態であると決定することと、
前記単一のチャネルがアイドル状態であると決定することに応答して、前記第１のフレームを前記装置から送信することと
を行わせるようにさらに構成される、Ｃ１６に記載の装置。
［Ｃ２２］
前記電子ハードウェアプロセッサは、前記装置に、第１のフレームを前記第２のワイヤレスデバイスから受信することを行わせるようにさらに構成される、Ｃ１６に記載の装置。
［Ｃ２３］
前記第１のフレームは、前記決定された時間が、
前記装置と前記第２のワイヤレスデバイスとによって設定される所定の時間値と、
前記第１のフレーム中に含まれる示された時間値と、
前記第１のフレームの受信後のショートインターフレームスペース（ＳＩＦＳ）と
のうちの１つにおいて生じるというインジケーションを含み、前記装置は、前記インジケーションに基づいて前記時間を決定する、Ｃ２２記載の装置。
［Ｃ２４］
前記電子ハードウェアプロセッサは、前記装置に、
前記受信された第１のフレームが前記装置を識別するかどうかを決定するために、前記受信された第１のフレームを復号すること
を行わせるようにさらに構成され、前記装置は、前記受信された第１のフレームが前記装置を識別すると決定することに応答して、前記決定された時間において送信する、Ｃ２２に記載の装置。
［Ｃ２５］
前記電子ハードウェアプロセッサは、前記装置に、
第１のフレームに応答するワイヤレスデバイスのセットと、
前記同時送信のためのアクセスカテゴリと、
前記同時送信のためのチャネル帯域幅と、
前記同時送信のためのダウンリンク物理レイヤコンバージェンスプロシージャ（ＰＬＣＰ）プロトコルデータユニット（ＰＰＤＵ）の持続時間と
のうちの１つまたは複数を示す情報を含むように前記第１のフレームを生成することを行わせるようにさらに構成される、Ｃ１６に記載の装置。
［Ｃ２６］
前記電子ハードウェアプロセッサは、前記装置に、
前記装置が第１のフレームを送信するであろうと、前記装置と前記第２のワイヤレスデバイスとの間での１つまたは複数の通信に基づいて決定することと、
前記装置が前記第１のフレームを送信するであろうと決定することに応答して、前記第１のフレームを生成することと、
前記第１のフレームを送信することと
を行わせるようにさらに構成される、Ｃ１６に記載の装置。
［Ｃ２７］
ワイヤレス媒体の単一のチャネルを通した同時送信を調整するための装置であって、前記装置は、前記装置に、
前記装置と少なくとも第２のアクセスポイントとが前記チャネルを通して同時に送信するであろう時間を決定することと、
第１のメッセージを送信することと
を行わせるように構成された電子ハードウェアプロセッサを備える、装置。
［Ｃ２８］
前記時間を決定することは、
所定の時間値に前記時間を設定することと、
前記装置が前記第１のメッセージを送信した後のショートインターフレームスペース（ＳＩＦＳ）に前記時間を設定することと
のうちの１つを備える、Ｃ２７に記載の装置。
［Ｃ２９］
前記電子ハードウェアプロセッサは、前記装置に、
前記第１のメッセージに応答するアクセスポイントのセットと、
前記同時送信のためのアクセスカテゴリと、
前記同時送信のためのチャネル帯域幅と、
前記同時送信のためのダウンリンク物理レイヤコンバージェンスプロシージャ（ＰＬＣＰ）プロトコルデータユニット（ＰＰＤＵ）の持続時間と
のうちの１つまたは複数を示す情報を含むように前記第１のメッセージを生成することを行わせるようにさらに構成される、Ｃ２７に記載の装置。
［Ｃ３０］
前記電子ハードウェアプロセッサは、前記装置に、前記装置と前記第２のアクセスポイントとを対応する識別子を介して識別するように、前記第１のメッセージを生成することを行わせるようにさらに構成され、前記対応する識別子は、基本サービスセット（ＢＳＳ）識別子と局アドレスとのうちの１つである、Ｃ２７に記載の装置。